(57)【要約】【課題】軟質ゴムロールの表面に付着した異物を掻き取るのに適した異物掻き取り方法を提案すること。【解決手段】軟質ゴムロール１００のロール表面１０１に付着した異物を掻き取るためのドクター装置１は、ポリカーボネート製のドクターブレード２Ｂを備えている。ドクターブレード２Ｂは、その板本体部分２１の厚さが１〜３mmであり、刃先２４が形成されている刃先部分の厚さが０．２〜１．０mmであり、これら間には厚さが刃先側に向けて漸減しているテーパ状部分２３が形成されている。このドクターブレード２Ｂを用いて軟質ゴムロール表面に付着した異物の掻き取り動作を行ったところ良好な結果が得られた。【選択図】図２
2007131970.tif 000002
【特許請求の範囲】
【請求項１】
抄紙機などにおける軟質ゴムロールの表面に付着した異物を掻き取るための軟質ゴムロールの異物掻き取り方法において、
ポリカーボネート製のドクターブレードを、回転する前記軟質ゴムロールの表面に圧接して、当該表面に付着している紙滓などの異物を掻き取ることを特徴とする軟質ゴムロールの異物掻き取り方法。
【請求項２】
請求項１において、
厚さが１mm〜３mmの前記ドクターブレードを用いることを特徴とする軟質ゴムロールの異物掻き取り方法。
【請求項３】
請求項２において、
前記軟質ゴムロールの表面に圧接される刃先部分の厚さが０．２mm〜１mmの前記ドクターブレードを用いることを特徴とする軟質ゴムロールの異物掻き取り方法。
【請求項４】
請求項３において、
前記刃先部分の長さが１０mmの前記ドクターブレードを用いることを特徴とする軟質ゴムロールの異物掻き取り方法。
【請求項５】
請求項１ないし４のうちのいずれかの項に記載の方法に用いる軟質ゴムロール用ドクターブレード。
【発明の詳細な説明】
【技術分野】
【０００１】
本発明は、抄紙機などに用いられる軟質ゴムロールの表面に付着した異物を掻き取る異物掻き取り方法、および軟質ゴムロール用ドクターブレードに関するものである。
【背景技術】
【０００２】
抄紙機ロールの表面に付着した紙滓などの異物を掻き取るために、ロール面長とほぼ同一の長さのドクターブレードを、回転している抄紙機ロールの表面に適切な線圧で押しつけ、当該ロール表面から異物を掻き取るようにしている。
【０００３】
ドクターブレードの素材としては、繊維強化プラスチック、複合素材、積層材などが知られており、例えば、特許文献１ないし５に開示されている。
【特許文献１】特開平１１−２５６４９３号公報
【特許文献２】特開平６−２８０１８６号公報
【特許文献３】特開平６−２５７０９５号公報
【特許文献４】特開平５−３３８０４８号公報
【特許文献５】特開平５−３２１１８９号公報
【発明の開示】
【発明が解決しようとする課題】
【０００４】
ここで、抄紙機ロールとして軟質ゴムロールが用いられている。軟質ゴムロールの表面に付着した異物をドクターブレードを用いて掻き取る場合には、その剛性あるいは圧接力が大きすぎると、ロール表面を傷付けやすい。逆に、剛性あるいは圧接力を小さくすると、ロール表面から異物を確実に掻き取ることができない。また、摩擦抵抗が大きいので、柔軟な素材のドクターブレードを用いると、摩耗が大きく、耐久性が低下してしまう。
【０００５】
しかしながら、従来においては、軟質ゴムロールの異物掻き取りに適したドクターブレードを用いた掻き取り方法は提案されていない。
【０００６】
本発明の課題は、この点に鑑みて、軟質ゴムロールの表面に付着した異物の掻き取りに適した異物掻き取り方法を提案することにある。
【課題を解決するための手段】
【０００７】
上記の課題を解決するために、本発明は、抄紙機などにおける軟質ゴムロールの表面に付着した異物を掻き取るための軟質ゴムロールの異物掻き取り方法において、ポリカーボネート製のドクターブレードを、回転する前記軟質ゴムロールの表面に圧接して、当該表面に付着している紙滓などの異物を掻き取ることを特徴としている。
【０００８】
ここで、厚さが１mm〜３mmの前記ドクターブレードを用いることが望ましい。また、前記軟質ゴムロールの表面に圧接される刃先部分の厚さが０．２mm〜１mmの前記ドクターブレードを用いることが望ましい。さらに、前記刃先部分の長さが１０mmの前記ドクターブレードを用いることが望ましい。
【発明の効果】
【０００９】
本発明によるドクターブレードを用いると、軟質ゴムロールに付着した異物を、ロール表面を傷つけることなく確実に掻き取ることができ、また、ドクターブレードの耐久性も確保できることが確認された。
【発明を実施するための最良の形態】
【００１０】
以下に、本発明を適用したドクターブレードを備えたドクター装置を説明する。
【００１１】
図１にはドクター装置の全体構成を示してあり、図２にはドクターブレードの断面形状を示してある。図１に示すように、ドクター装置１は、軟質ゴムロール１００のロール表面１０１に圧接される刃先２ａを備えた細長い長方形のドクターブレード２と、この後端部分２ｂを保持しているブレードホルダ３と、このブレードホルダ３を支持しているドクターバック４から構成されている。
【００１２】
ドクターバック４はその両端に取り付けたジャーナル軸４ａが固定配置された架台(図示せず)の側の軸受けによって回転可能に支持されている。ドクターバック４と架台の間にはターンバックル(図示せず)が連結されており、これを調整することにより、ドクターバック４を所定の姿勢で固定できるようになっている。
【００１３】
ブレードホルダ３は、連結ロッド３ａを中心として回転可能な状態でドクターバック４の側に支持されている。この連結ロッド３ａを挟み前側にはブレード開放用チューブ５が配置され、後側にはブレード加圧用チューブ６が配置されている。これらのチューブ５、６は可撓性素材から形成されており、チューブ５の側を膨張させると、ドクターブレード２を保持しているブレードホルダ３は連結ロッド３ａを中心としてドクターブレード２を軟質ゴムロール１００の表面１０１から離す方向、すなわち開放方向に旋回する。他方のチューブ６を膨張させると、ブレードホルダ３はドクターブレード２を軟質ゴムロール１００の表面１０１に押しつける方向、すなわち加圧方向に旋回する。
【００１４】
これらのチューブ５、６の膨張、収縮は、これらに対してエアーの供給を制御することにより行われている。すなわち、エアー源７からのエアー供給路は、圧力調整弁８、四方切り換え弁９を介して各チューブ５、６に連通している。図に示す切り換え位置となるように切り換え弁９を設定すると、加圧用チューブ６が膨張する。切り換え弁を切り換えると、逆に開放用チューブ５が膨張する。
【００１５】
次に、ドクターブレード２の構造、素材について説明する。ドクターブレード２はポリカーボネート製であり、図２(ａ)および(ｂ)に示す断面形状のものを用いることができる。
【００１６】
図２(ａ)に示すドクターブレード２Ａは例えば厚さｔが３mmのものであり、その先端縁には約３０°の角度の刃先２ａが付いている。厚さは１mm〜３mmの範囲内の値とすることが望ましい。
【００１７】
図２(ｂ)に示すドクターブレード２Ｂは、一定の厚さの板本体部分２１と、この板本体部分２１よりも薄い一定の厚さの刃先部分２２と、板本体部分２１と刃先部分２２の間に形成されている厚さが刃先部分２２に向けて漸減しているテーパ状部分２３とを備えている。刃先部分２２の先端縁は鋭角の刃先２３が付けられている。
【００１８】
ドクターブレード２Ｂの各部分の寸法は例えば、次の通りである。刃先２３は約３０度の鋭角になっている。この刃先２３に連続する刃先部分２２は厚さｔ(２２)が０．２mm〜１．０mmであり、板本体部分２１の厚さｔ(２１)は０．２mm〜３mmである。刃先部分２２の長さ、すなわち、刃先２３からテーパ状部分２３までの長さＬは１０mmである。また、ドクターブレード２の全体の幅は７６mmである。
【００１９】
本発明者の実験によれば、ドクターブレード２Ａ、２Ｂを用いて軟質ゴムロール１００の表面に付着した異物の掻き取りを行ったところ、ロール表面１０１を傷つけことなく、確実に異物を掻き取ることができることが確認された。また、ドクターブレード２Ａ、２Ｂの耐久性も十分なものであった。特に、図２(ｂ)に示すドクターブレード２Ｂを用いた場合には良好な結果が得られた。
【００２０】
以上説明したように、本発明では、ポリカーボネート製のドクターブレードを用いて軟質ゴムロールの表面に付着した異物を掻き取るようにしているので、従来から知られているドクターブレードを用いる場合に比べて、ロール表面を傷つけることなく、効率良く異物の掻き取りを行うことができる。
【図面の簡単な説明】
【００２１】
【図１】本発明を適用したドクターブレードを備えたドクター装置の全体構成図である。
【図２】図１のドクターブレードの二例を示す断面図である。
【符号の説明】
【００２２】
１    ドクター装置
２、２Ａ、２Ｂ  ドクターブレード
２ａ  刃先
２ｂ  後端部
２１  板本体部分
２２  刃先部分
２３  テーパ状部分
３    ブレードホルダ
４    ドクターバック
１００  軟質ゴムロール
１０１  ロール表面
【図１】
2007131970.tif 000003
【図２】
2007131970.tif 000004